(57)【要約】【課題】従来の数量表記法は、直線を区切ってその区間のライン上の適当な位置に点を打つことによって表現し、それをもとに数量を把握するようになっていた。しかしながら、この方法では位置をより詳細に特定することが困難であった。また、隣りの点との数値の差が分かりにくく、より柔軟な数量記憶法を作ることが難しいという問題点があった。【解決手段】本発明は、ＰＳＩラインと名づける、折れ線により構成される、ひとつの区間を１０進、８進、１２進、等に任意のｎ進数に対応した折れ線によるＰＳＩライン上にＰＳＩポイントと名づけるポイントを表示することによって、より正確にポイントを判別することが出来る数量表記法とそのＰＳＩラインを使った、より柔軟で、より効果的な数量記憶法を提供することによって上記課題を解決する。【選択図】  図１３
2004326058.tif 000002
【特許請求の範囲】
【請求項１】
物理量の数量の大きさを表現するため、ＰＳＩライン（１）の任意の位置にＰＳＩポイント（２）を打ち数値を表現するという数量表記法。
【請求項２】
請求項１記載の数量表記法を使用し数量を記憶させる数量記憶法。
【請求項３】
請求項２記載の方法を応用した、年代（５２）、重要度（５３）、記憶度（５４）、できごと（５５）、メモ１（５６）、メモ２（５７）、等の各ＰＳＩデータを記録する、図１１に示すＰＳＩデータ・フォーマットにしたがって記述されたデータ・ファイルを読み込み、ＰＳＩライン（１）、ＰＳＩポイント（２）、紀元識別ライン（４）、で構成されるＰＳＩ表示画面部（４２）、各ＰＳＩデータを表示する左表示欄（６）、及び右表示欄（７）、リストを選択的に表示させることの出来る重要度▲１▼＋▲２▼＋▲３▼＋▲４▼＋▲５▼（８）機能や記憶度▲１▼＋▲２▼＋▲３▼＋▲４▼＋▲５▼（９）機能及び重要度優先（１０）機能、また重要度や記憶度や内容を変更出来る重要度変更（１１）機能や記憶度変更（１２）機能や内容変更の［設定］（１４）機能、あるいはデータを表示したり非表示にする事が可能な年代表示（１５）機能、重要度表示（１６）機能、記憶度表示（１７）機能、できごと表示（１８）機能、できごと表示（２０）機能、メモ１表示（２１）機能、メモ２表示（２２）機能、現在表示しているデータの属しているファイルを示すファイル位置（１３）機能、ランダムにデータを選択表示できるランダム選択（１９）機能、ＰＳＩライン（１）の大きさや単位を設定可能にするレンジ（２３）機能や単位（２４）機能、複数のファイルを入出力可能にするファイル１（２５）機能〜ファイル１０（３４）機能、時間を表示する年月日時分秒（３５）機能やタイマー（３６）機能、自動的に動作状態を記憶あるいは設定できる動作状態（３７）機能、ＰＳＩポイント（２）を全部表示したり１つを表示したり全てを非表示にするポイント表示（３８）機能、画面の外にあるＰＳＩライン（１）を含めて左右に移動させることの出来るＰＳＩライン・スクロール・ツマミ（４８）機能、表示文字の大きさを変更できる表示文字（３９）機能、動作を説明するＰＳＩ式記憶法機能図（４０）機能や記憶法の機能説明（４１）機能、等の多くの機能の内、少なくともＰＳＩライン（１）機能とＰＳＩポイント（２）機能と１つの表示欄機能を有する表示装置で動作可能なコンピュータ・プログラム。
【請求項４】
請求項３記載の機能を有する表示装置。
【発明の詳細な説明】
【０００１】
【発明の属する技術分野】
本発明は、数量表記法及びそれを使用した数量記憶法に関する。
【０００２】
【従来の技術】
従来の数量表記法は、直線を区切ってその区間のライン上の適当な位置に点を打つことによって表現し、それをもとに数量を把握し記憶するようになっている数量記憶法が多い。
【０００３】
【発明が解決しようとする課題】
しかしながら、この方法では位置をより詳細に特定することが出来ない。また、隣接した点同士との数値の差が分かりにくいため、より柔軟で高機能な数量記憶法を作ることが難しいという問題点がある。
【０００４】
本発明は、区間を独特な折れ線により分割し、より数値を正確に特定することが可能にした数量表記法を得ることを目的とし、さらにそれをもとにしたより柔軟で高機能な数量記憶法、を提供することを目的としている。
【０００５】
【課題を解決するための手段】
本発明は、ＰＳＩライン（Ｐｏｉｎｔ  ａｎｄ  Ｓｐａｃｅ  Ｉｎｆｏｒｍａｔｉｏｎ  Ｌｉｎｅ）と名づける、折れ線により構成される、ひとつの区間を１０進、８進、１２進、等に任意のｎ進数に対応した折れ線によって構成されるＰＳＩライン１上にＰＳＩポイント２と名づけるポイントを表示することによって、より明確にポイントを判別出来るようになっており、より効果的な数量表記法と、そのＰＳＩライン１とＰＳＩポイント２を使った、より柔軟で高機能な数量記憶法、を提供することによって上記課題を解決する。
【０００６】
【発明の実施の形態】
発明の実施の形態を実施例にもとづき図面を参照して説明する。
【０００７】
【実施例】
本発明の数量表記法及び数量記憶法を応用した実施例として、「ＰＳＩライン式歴史のできごと記憶法」を作成している。本実施例は、１０進数量表記法を使用し、かつ、その他の機能を付加して、より効果的にコンピュータ・プログラムにより制御される表示装置により実現される。
【０００８】
まず、ＰＳＩライン１とは、図１に示すように、あるひとつの区間を１０辺の折れ線で表現するようになっており、その辺の任意の位置にＰＳＩポイント２と名づけた印を打つことによって数量を表現するようになっている。この時点で、従来の方法に比べ数量を特定するのに１桁良くなっている。さらに、図６のようにその１つの辺をさらに１０辺の折れ線で表現し、そこにしるしを打つようにすれば、従来の方法に比べ数量を特定するのに２桁良くなっていることになる、同様な方法により、３桁、４桁、と数量特定の精度を高められることは容易に想像できる。また、図７、図８、に示すように８辺の折れ線で８進を表したりすることも出来るし、図９、図１０、に示すように１２辺の折れ線で１２進を表わせば、１年を１２ヶ月で表現することも出来る。
【０００９】
あるいはまた、正を表現するには図１に示すＰＳＩライン１を、負を表現するには図２に示すＰＳＩライン１を使用しても良いし、あるいは、逆にしても良い。また、正と負を同時に表現するときには、図３に示すように正負分岐ライン３により左右を正、負、に割り振ればよい、勿論、正負分岐ライン３は必ずしも必要ない。そして、この、ＰＳＩラインを正と負に無数に連結していくと負の無限大から正の無限大まで、過去から未来まで表現できる。図４は正負分岐ライン３を挟んで負方向へ１つ、正方向へ２つ連結したものである。
【００１０】
図５は「ＰＳＩライン式歴史のできごと記憶法」で使用する具体例を示しており、ＰＳＩライン１でＢＣ１０００年からＡＤ２０００年までを示し、ＰＳＩポイント２で「６４５年大化の改新」と「１５８２年本能寺の変」を記した、図１２のリストを表示するときのＰＳＩラインとＰＳＩポイントの説明図であり、ＰＳＩポイント２は別の形をしていても良いし、図５には表現していないが、図６に示すように、６００年代や、１５００年代を１０進のＰＳＩライン１で表現しＰＳＩポイント２で記しすればさらに詳細に表現することが出来る。
【００１１】
図１１はこの実施例で使用しているデータ・フォーマットの規則を示しており、図に示すように、Ｈではじまる行にはこのファイル名４９とこのファイルを特定するためのヘッダパスワード５０とファイルした記録日時５１を記録するようになっており、次の行から、ＡＤあるいはＢＣの年代５２、重要度５３、記憶度５４とを配置する、さらに、できごと５５、メモ１（５６）、メモ２（５７）、を順次できごとごとに追加してゆき、最後にセミコロンで終わっている。図１２に具体的な実際のリストの一部を示している。
【００１２】
そして、本実施例では、図１１に示すＰＳＩデータ・フォーマットにしたがって作られた図１２のＰＳＩデータを読み込み、そのＰＳＩデータを解析し、ＰＳＩライン１上にＰＳＩポイント２を記したり、表示欄にＰＳＩデータ・フォーマットに記録されたＰＳＩデータを表示するようになっている。さらに、これらＰＳＩデータを表示するにあたって図１３に示すような、さまざまなより効果的な機能が用意されている。
【００１３】
図１３は、本実施例の表示画面５の一例を示しており、その中のＰＳＩライン表示画面部４２には、紀元識別ライン４により紀元前と紀元後に分けられたＰＳＩライン１の上に年代のＰＳＩポイント２が印されるようになっている。
【００１４】
その表示画面５の左表示欄６には、その年代、とともに重要度１〜５、記憶度１〜５、及びできごと、が表示されるようになっており、この重要度１〜５、記憶度１〜５、は重要度変更１１、記憶度変更１２から変更可能になっている。さらに、その表示画面の右表示欄７には、できごと、メモ１、及びメモ２の内容が表示されるようになっている。
【００１５】
重要度▲１▼＋▲２▼＋▲３▼＋▲４▼＋▲５▼（８）の内▲１▼、▲２▼、▲３▼、▲４▼、▲５▼、を押すとＰＳＩデータ・ファイルで重要度▲１▼〜▲５▼に設定されたデータを表示リストから除外したり、また含めたりすることが出来る。同様に記憶度▲１▼＋▲２▼＋▲３▼＋▲４▼＋▲５▼（９）の内▲１▼、▲２▼、▲３▼、▲４▼、▲５▼、を押すとＰＳＩデータ・ファイルで記憶度▲１▼〜▲５▼に設定されたＰＳＩデータを表示リストから除外したり、また含めたりすることが出来る。
【００１６】
さらに、重要度優先１０をマウスで左クリックすると記憶度優先に表示が変わり、また左クリックすると重要度優先に表示が変わり、重要度優先を選択したとき記憶度▲１▼＋▲２▼＋▲３▼＋▲４▼＋▲５▼が選択されていても重要度▲１▼＋▲２▼＋▲３▼＋▲４▼＋▲５▼が非選択になっていると表示リストから除外されます、重要度優先を選択されていると、逆に重要度▲１▼＋▲２▼＋▲３▼＋▲４▼＋▲５▼が選択されていても記憶度▲１▼＋▲２▼＋▲３▼＋▲４▼＋▲５▼が非選択になっていると表示リストから除外されるようになっている。
【００１７】
さらに、年代表示１５をクリックして年代非表示にすると左表示欄の年代が非表示になるようになっている、同様に重要度表示１６、記憶度表示１７、できごと表示１８をそれぞれクリックして、重要度非表示、記憶度非表示、できごと非表示、にすると左表示欄のそれぞれに対応して、重要度、記憶度、できごと、が非表示になるようになっている。
【００１８】
ランダム選択１９を左クリックするとＰＳＩライン表示画面部４２に表示されるＰＳＩポイント２がランダムに選択表示されるようになっている。また、内容変更の［設定］１４を押すと  内容変更の［実行］と［中止］が表示され右表示欄に表示されているできごと、メモ１、及びメモ２の内容のファイル内での書き換えが出来るようになっている。
【００１９】
そして、レンジ２３を左クリックするとＰＳＩラインは拡大し、右クリックするとＰＳＩライン１は縮小するようになっている。また、本実施例では、単位２４は年に固定している。
【００２０】
ファイル▲１▼２５からファイル▲１０▼３４を右クリックするとファイルの読み込みが可能になっており、図１１に示すＰＳＩデータ・フォーマットに収録されているファイル名４９、年代５２、重要度５３、記憶度５４、できごと５５、メモ１（５６）、及びメモ２（５７）の内容の読み込まれ、ＰＳＩライン１上に年代５２に対応してＰＳＩポイント２がポイントされ、左表示欄には年代、重要度、記憶度、できごと、が表示され右表示欄にはできごと、メモ１、及びメモ２の内容が表示されるようになっている。
【００２１】
そして例えば、ファイル▲１▼（２５）、ファイル▲２▼（２６）からそれぞれファイルの読み込み込まれファイル▲１▼、ファイル▲２▼の位置に日本史、世界史と表示され、その日本史の文字位置を左クリックすると表示色が変化した後、その日本史のデータが表示用リストから除外され世界史だけが表示されるようになっており、また左クリックすると表示色が元に戻り、その日本史のＰＳＩデータが表示用リストから採用され日本史、世界史の双方が表示されるようになっている、さらにこのとき右クリックするＰＳＩデータのファイルへ保存が可能になり保存できるし、また消去することも可能になっており、消去されると表示がファイル▲１▼（２５）あるいはファイル▲２▼（３４）にもどるようになっている。
【００２２】
年月日時分秒３５では現在の時間を表示している。タイマー３６を左クリックすると分秒のタイマーが作動し分秒を表示し、さらに左クリックするとそれまで経過した分秒を表示するようになっている。
【００２３】
動作状態３７を左クリックすると左表示欄６に現在の動作状態が表示される。
このとき右クリックするとこの動作状態をファイルに保存できるようになっている、あるいはまた、既に保存されている動作状態の設定内容にしたがってデータを入力し、以前、動作していた状態に自動的に設定されるようになっている。
【００２４】
そしてまた、ＰＳＩポイントの全表示３８のとき、画面表示可能な全てのＰＳＩポイントを表示する。左クリックをすると１ポイント表示と表示され選択されている１つのポイントのみが表示される。さらに左クリックをするとＰＳＩポイントの非表示と表示され全く１つのポイントも表示されないようになる。さらに左クリックとＰＳＩポイントの全表示と最初の表示に戻る。右クリックをし続けると左クリックし続けたときと逆の順で表示が変わり動作するようになっている。
【００２５】
表示文字小３９をクリックすると表示文字大と表示し表示文字が大きくなり、さらにクリックすると表示文字小と表示し表示文字が再度小さくなるようになっている。ＰＳＩ式記憶法機能図４０をクリックすると機能図がＰＳＩライン表示画面に表示されるようになっている。また、記憶法の機能説明４１をクリックすると機能説明がＰＳＩライン表示画面部４２に表示されるようになっている。
【００２６】
ＰＳＩライン表示画面部４２を左クリックすると現在選択されているＰＳＩポイント２の左のＰＳＩポイント２が選択され、右クリックと現在選択されているＰＳＩポイント２の右のＰＳＩポイント２が選択表示されるようになっている。
また、上辺部外枠部４３をクリックするとＰＳＩラインのその近くのＰＳＩポイントが選択表示されるようになっている。そして、左上辺の四角部４４をクリックするとＰＳＩラインのその最左翼近くのＰＳＩポイントが選択表示されるようになっている。また、右上辺の四角部４５をクリックするとＰＳＩラインのその最右翼近くのＰＳＩポイントが選択表示されるようになっている。また、左辺の外枠部４６をダブルクリックするとＰＳＩラインのその最左翼近くのＰＳＩポイントが選択表示されるようになっている。そして、右辺の外枠部４７をダブルクリックするとＰＳＩラインのその最右翼近くのＰＳＩポイントが選択表示されるようになっている。
【００２７】
ＰＳＩライン・スクロール・ツマミ４８を左右に移動することによってＰＳＩライン表示画面部４２の、左右の画面の外に位置するＰＳＩライン１とＰＳＩポイント２を表示させることが出来るので、現在ＰＳＩライン表示画面部４２に表示されている範囲の何倍もの範囲を表示させることが出来るようになっている。
【００２８】
ＰＳＩライン式数量記憶法を使用した「ＰＳＩライン式歴史のできごと記憶法」の使い方は、例えば、まず起動した後、ＰＳＩポイント２の全体の中での位置を把握しながら左表示欄６や右表示欄７に表示されている、年代、重要度、記憶度、できごと、と右表示欄７に表示されている、できごと、メモ１、及びメモ２の内容の読み記憶し、次のＰＳＩポイント２に移動させながら同様に記憶していく。このことを繰り返した後、ある程度記憶した後で記憶程度にしたがって記憶度を変更し、つぎからは記憶度▲１▼のみを表示させ記憶程度の進んだものを記憶度変更１２機能により記憶度▲２▼にランクを上げる、同じことをくり返しながら、確実に記憶したもの記憶度▲５▼ランクに変更してゆく方法により確実に記憶する。あるいは、年代、重要度、記憶度、できごと、メモ１、及びメモ２、の一部を非表示にしておき、ＰＳＩポイントを移動させながら、その非表示になっている内容を想起する練習を繰り返すことによって、確実に記憶する。あるいはまた、ＰＳＩポイント非表示にしておき、年代、重要度、記憶度、できごと、メモ１、及びメモ２、の１部を非表示にしておき、ＰＳＩポイント２の位置を当てる練習を繰り返すことによって、確実に記憶する。このことは、あらかじめ１〜５にランク付けしておいた重要度別に同様なことを行うことが出来る。また、重要度優先１０を記憶度優先に設定しておけば、上記練習で記憶度別の同様な練習が出来る。
【００２９】
その他、ＰＳＩライン１を歴史年代全体が表示される大きさにしておき、ＰＳＩライン１の上を目でなぞってゆき、年代、できごと、メモ１、及びメモ２、等を順次想起していく練習をする。あるいは、ランダムにＰＳＩポイント２を移動させながら想起していく練習をする。その他、色々な組み合わせにより記憶と想起の練習を行うことが出来る。
【００３０】
また、ランダム選択１９により順に左右のＰＳＩポイントに移動することにより、記憶の想起の練習をすると、その直近のＰＳＩポイントの記憶から受ける連想や、問われる順序などから、想起されるという影響が少なくなるのでより確実な記憶が出来るようになる。
【００３１】
また、左表示欄６に表示されている、年代、重要度、記憶度、できごと、と右表示欄７に表示されている、できごと、メモ１、及びメモ２を非表示にすることにより質問の内容やヒントそれらから与えられる影響を少なくした、記憶の想起の練習をすることが出来るといったように、色々な組み合わせで記憶することにより、記憶がさらに深まる。
【００３２】
「ＰＳＩライン式歴史のできごと記憶法」で、最も重要なこととして、「ＰＳＩライン式歴史のできごと記憶法」の表示画面を離れ、このＰＳＩライン１とＰＳＩポイント２を頭の中に描くことにより、いつでも、どこでも、このＰＳＩライン１とＰＳＩポイント２からの連想により、年代、できごと、メモ１、及びメモ２、の内容を想起されるようになることにある。
【００３３】
このＰＳＩライン１とＰＳＩポイント２を歴史の始まりから現在までを１つの視野の中に入れ、鳥瞰図的に眺めて時代の移り変わりを眺めて、時代の変化する速さの意味や世界の将来像について考えてみることも出来る。
【００３４】
そして、このＰＳＩライン１とＰＳＩポイント２には、歴史の年代以外の時間、距離、長さ、重さ、等々いろいろな物理量についても応用が可能であることは勿論である。また、ＰＳＩラインは、その１辺が・・・ミリ秒、・・・１年、１０年、１００年、・・・１万年、・・１億年、・・１０億光年、、といろいろ設定し使用することも勿論可能である。またそれぞれの物理量にしたがって表示単位が変化することは勿論である。
【発明の効果】
本発明は、以上説明したようになっているので、以下に記載されるような効果を奏する。
【００３５】
ある区間をＰＳＩラインという折れ線からなる辺により分割することによってその区間をより明確に特定することが出来る。さらに、そのＰＳＩラインの一辺をさらにＰＳＩラインにより分割することにより、さらに明確に特定することが出来るようになった。
【００３６】
このＰＳＩラインとＰＳＩポイントには、時間、距離、長さ、重さ、等々いろいろな物理量についても応用が可能なため、１つの実施例によりその記憶法を体得しておくと他の物理量を記憶するときに、容易に応用することが出来るようになる。
【００３７】
ＰＳＩラインとＰＳＩポイントを応用した、「ＰＳＩライン式歴史のできごと記憶法」で、最も重要なこととして、ＰＳＩライン表示画面を離れ、このＰＳＩラインとＰＳＩポイントを頭の中に描くことにより、いつでも、どこでも、このＰＳＩラインとＰＳＩポイントからの連想により、年代、できごと、メモ１、及びメモ２、等の内容を想起されるようになることにある。そして、このＰＳＩラインを頭にイメージした状態で、映画や、ドラマを観賞したりあるいは歴史的建造物、社寺仏閣を訪れたとき、ＰＳＩラインのこのあたりに作られたものだと想像たり、歴史的資料を見るときＰＳＩラインのこのあたりでのできごとに関する資料としてのＰＳＩラインを想起することによってより深く、より広がりをもって記憶されるようになる。このようなことが可能なのも、このＰＳＩラインとＰＳＩポイントによる表示法により、明確な位置の特定が可能になったからである。
【００３８】
たとえば、頭の中で、たとえば１０００年前のＰＳＩラインと１０００年後のＰＳＩポイントをずらして重ね合わせることにより、１０００年間の文化の変化状況を比較したりすることができる。
【００３９】
また、頭の中で、このＰＳＩラインとＰＳＩポイントを歴史の始まりから現在までを１つの視野の中に入れてイメージし、鳥瞰図的に眺めて時代の移り変わりを眺めて、時代変化の速さの意味や世界の将来像について考えてみることも出来る。さらに、他の国の歴史も同じこのＰＳＩラインとＰＳＩポイントで記憶されるため、頭の中で重ね合わすことにより世界各地の歴史を同時進行的に理解されるため、そのころ日本ではとか、そのころ中国ではとか、そのころヨーロッパではとか、と云った世界の歴史の比較、進展度、相互影響、などの理解によってより国際的な歴史観、公平な歴史観をはぐくむ効果が期待できる。このようなことが可能なのも、このＰＳＩラインとＰＳＩポイントによる表示法により、明確な位置の特定が可能になったからである。
【図面の簡単な説明】
【図１】本発明のある区間を左から右へ１０分割したＰＳＩラインの説明図である。
【図２】本発明のある区間を右から左へ１０分割したＰＳＩラインの説明図である。
【図３】正負分岐ラインを境に右へ１０分割し、左へ１０分割した場合の、ＰＳＩラインの説明図である。
【図４】正負分岐ラインを境に右へ１０分割２つ分と、左へ１０分割した、ＰＳＩラインの説明図である。
【図５】ＰＳＩラインとＰＳＩポイントを実際に使用した１実施例。
【図６】あるＰＳＩラインの１区間をＰＳＩラインでさらに１０分割したＰＳＩラインの説明図である。
【図７】区間を左から始まり、右へ８分割のＰＳＩラインを表している。
【図８】区間を右から始まり、左へ８分割のＰＳＩラインを表している。
【図９】区間を左から始まり、右へ１２分割のＰＳＩラインを表している。
【図１０】区間を右から始まり、左へ１２分割のＰＳＩラインを表している。
【図１１】ＰＳＩライン式歴史のできごと記憶法のデータ・フォーマットである。
【図１２】ＰＳＩライン式歴史のできごと記憶法のデータ・フォーマット、の１実施例である。
【図１３】ＰＳＩライン式歴史のできごと記憶法の表示画面の１実施例である。
【図１４】ＰＳＩライン式歴史のできごと記憶法の表示画面でＰＳＩラインを拡大した１実施例である。
【符号の説明】
１    ＰＳＩライン
２    ＰＳＩポイント
３    正負分岐ライン
４    紀元識別ライン
５    表示画面
６    左表示欄
７    右表示欄
８    重要度▲１▼＋▲２▼＋▲３▼＋▲４▼＋▲５▼
９    記憶度▲１▼＋▲２▼＋▲３▼＋▲４▼＋▲５▼
１０  重要度優先
１１  重要度変更
１２  記憶度変更
１３  ファイル位置
１４  内容変更の［設定］
１５  年代表示
１６  重要度表示
１７  記憶度表示
１８  できごと表示
１９  ランダム選択
２０  できごと表示
２１  メモ１表示
２２  メモ２表示
２３  レンジ
２４  単位
２５  ファイル▲１▼
２６  ファイル▲２▼
２７  ファイル▲３▼
２８  ファイル▲４▼
２９  ファイル▲５▼
３０  ファイル▲６▼
３１  ファイル▲７▼
３２  ファイル▲８▼
３３  ファイル▲９▼
３４  ファイル▲１０▼
３５  年月日時分秒
３６  タイマー
３７  動作状態と自動入力
３８  ＰＳＩポイントの全表示
３９  表示文字小
４０  ＰＳＩ式記憶法機能図
４１  記憶法の機能説明
４２  ＰＳＩライン表示画面部
４３  上辺部外枠部
４４  左上辺の四角部
４５  右上辺の四角部
４６  左辺の外枠部
４７  右辺の外枠部
４８  ＰＳＩライン・スクロール・ツマミ
４９  ファイル名
５０  ヘッダパスワード
５１  記録日時
５２  年代
５３  重要度
５４  認識度
５５  できごと
５６  メモ１
５７  メモ２
【図１】
2004326058.tif 000003
【図２】
2004326058.tif 000004
【図３】
2004326058.tif 000005
【図４】
2004326058.tif 000006
【図５】
2004326058.tif 000007
【図６】
2004326058.tif 000008
【図７】
2004326058.tif 000009
【図８】
2004326058.tif 000010
【図９】
2004326058.tif 000011
【図１０】
2004326058.tif 000012
【図１１】
2004326058.tif 000013
【図１２】
2004326058.tif 000014
【図１３】
2004326058.tif 000015
【図１４】
2004326058.tif 000016